(57)【特許請求の範囲】
【請求項１】
被写体を撮影して該被写体を表わす画像情報を、該画像情報を受けて対応する画像に再生する再生装置に無線にて送信する電子カメラにおいて、該電子カメラは、
前記再生装置との通信に係る通信制御を行なうための前記画像情報の送信開始を示す送信開始信号を含むとともに、該送信開始信号の中に該カメラ固有の識別番号情報からなるＩＤコードを含み、かつ該画像情報の送信完了を示す送信完了信号を含むとともに、該送信完了信号の中に該カメラ固有の識別番号情報からなるＩＤコードを含む第１の通信制御信号を生成するインデクス生成手段と、
前記画像情報および前記第１の通信制御信号を無線信号に変換して、前記再生装置に送信する送信手段と、
前記再生装置から送信される通信制御のための第２の通信制御信号を含む無線信号を受信する受信手段と、
前記再生装置にて受信が可能であることを示す受信可能信号を含む前記第２の通信制御信号を前記受信手段にて受信された無線信号から検出するインデクス検出手段と、
前記画像情報を送信中であることを表示する送信中表示手段と、前記電子カメラの送信動作の状態の異常を表示する異常表示手段とを含む表示手段と、
前記インデクス生成手段を制御し、前記受信手段にて受信される前記第２の通信制御信号に基づいて前記再生装置との通信制御を行なう制御手段とを備え、
該制御手段は、前記第２の通信制御信号に基づいて、前記表示手段を制御する表示制御手段と、前記インデクス検出手段にて前記受信可能信号を含む第２の通信制御信号の検出の後、前記画像情報を送信する制御を行なう手段とを有し、
前記表示制御手段は、前記画像情報を送信中であることを前記送信中表示手段に表示させる制御を行なう手段と、前記送信開始信号を含む第１の通信制御信号を送信した後の所定の時間内に前記再生装置からの受信可能信号を含む第２の通信制御信号を検知しない場合に、該検知しないことを前記異常表示手段に表示させる制御を行なう手段とを含むことを特徴とする電子カメラ。
【請求項２】
請求項１に記載の電子カメラにおいて、
前記インデクス検出手段は、前記再生装置にて受信が完了したことを示す受信完了信号を含む第２の通信制御信号を前記受信手段にて受信された無線信号から検出する手段を備え、
前記表示手段は、前記画像情報の送信が完了したことを表示する送信完了表示手段を備え、
前記制御手段は、前記受信完了信号を含む第２の通信制御信号が前記インデクス検出手段にて検出された後、送信動作を終了し、
前記表示制御手段は、前記画像情報の送信が完了したことを前記送信完了表示手段に表示させる制御を行なう手段を備えることを特徴とする電子カメラ。
【請求項３】
請求項２に記載の電子カメラにおいて、前記表示制御手段は、前記送信完了信号を含む第１の通信制御信号を送信した後の所定の時間内に前記再生装置からの受信完了信号を含む第２の通信制御信号を検知しない場合に、該検知しないことを前記異常表示手段に表示させる制御を行なう手段とを含むことを特徴とする電子カメラ。
【請求項４】
請求項１に記載の電子カメラにおいて、前記表示手段は、
該電子カメラの動作モードを表示するモード表示手段を含むことを特徴とする電子カメラ。
【請求項５】
請求項１に記載の電子カメラにおいて、該電子カメラは、
周囲の音声を表わす音声情報を収録する手段を有し、
前記送信手段は、前記音声情報を無線信号に変換して、前記再生装置に送信することを特徴とする電子カメラ。
【請求項６】
被写体を撮像する電子カメラから送信された該被写体を表わす画像情報を受信し、該画像情報が表わす画像を再生する再生装置において、
該再生装置は、
前記電子カメラとの通信に係る通信制御を行なうための該再生装置にて受信が可能であることを示す受信可能信号と、前記画像情報の受信完了を示す受信完了信号とを含む第２の通信制御信号を生成するインデクス生成手段と、
前記電子カメラから送信された前記画像情報および通信制御のための第１の通信制御信号を含む無線信号を受信する受信手段と、
通信制御のための第２の通信制御信号を含む無線信号を前記電子カメラに送信する送信手段と、
前記受信手段にて受信された無線信号に含まれる前記画像情報を記憶する記憶手段と、
前記記憶手段にて記憶された画像情報を再生する再生処理手段と、
前記電子カメラから送信され前記受信手段にて受信される前記画像情報の送信開始を示す送信開始信号の中に該カメラ固有の識別番号情報からなるＩＤコードを含む該送信開始信号と、前記画像情報の送信が完了したことを示す送信完了信号の中に該カメラ固有の識別番号情報からなるＩＤコードを含む該送信完了信号とを含む第１の通信制御信号を検出するとともに、前記受信手段にて受信される前記画像情報の誤りの有無を検出するインデクス検出手段と、
前記インデクス検出手段にて検出される前記第１の通信制御信号および前記画像情報の誤りの有無に基づいて、前記電子カメラとの通信制御を行なう制御手段と、
前記画像情報を受信中であることを表示する受信中表示手段と、前記画像情報の受信が完了したことを表示する受信完了表示手段と、該再生装置の受信動作の状態の異常を表示する異常表示手段とを含む表示手段とを備え、
前記制御手段は、前記電子カメラから送信される無線信号に基づいて、前記表示手段を制御する表示制御手段と、前記インデクス検出手段にて前記送信開始信号を含む第１の通信制御信号の検出の後、前記電子カメラから送信される前記画像情報を含む無線信号の受信が可能である場合に、前記インデクス生成手段を制御して前記受信可能信号を含む第２の通信制御信号を生成させる制御を行なう手段と、前記受信可能信号を含む第２の通信制御信号の送信後、前記画像情報を含む無線信号を受信させる制御を行なう手段と、前記画像情報の受信が完了した後の所定の時間内に前記インデクス検出手段にて送信完了信号を含む第１の通信制御信号および前記画像情報の誤り無しが検出された場合に、正常な画像情報を受信したと判定する手段と、前記画像情報の受信が完了した後の所定の時間内に前記インデクス検出手段にて送信完了信号を含む第１の通信制御信号が検出されないか、または前記画像情報の誤り有りが検出された場合に、異常な画像情報を受信したと判定する手段と、前記正常な画像情報を受信した場合に、前記インデクス検出手段を制御して前記受信完了信号を含む第２の通信制御信号を生成させる制御を行なう手段とを有し、
前記表示制御手段は、前記画像情報を受信中であることを前記受信中表示手段に表示させる制御を行なう手段と、前記正常な画像情報を受信したことを前記受信完了表示手段に表示させる制御を行なう手段と、前記異常な画像情報を受信したことを前記異常表示手段に表示させる制御を行なう手段とを含むことを特徴とする再生装置。
【請求項７】
請求項６に記載の再生装置において、前記表示手段は、  該再生装置の動作モードを表示するモード表示手段を含むことを特徴とする再生装置。
【請求項８】
請求項６に記載の再生装置において、前記受信手段は、前記電子カメラから送信される音声情報を含む無線信号を受信し、前記再生処理手段は、前記受信手段にて受信された無線信号に含まれる前記音声情報を再生する手段を備えることを特徴とする再生装置。
【発明の詳細な説明】
【０００１】
【産業上の利用分野】
本発明は、電子カメラ本体により記録された画像や音声等の情報を別個の再生装置により再生する電子カメラおよび再生装置に関する。
【０００２】
【従来の技術】
近年、半導体メモリが実装されたメモリカードなどのメモリ装置を記憶媒体として、撮影した画像や撮影時に得られた音声等の情報をこのメモリ装置に記録する電子カメラが知られている。このメモリカードは、コネクタを介して電子カメラや記録された情報の再生を行なう再生装置に着脱自在に構成されて、電気的に結合される。たとえばメモリカードは、撮影や記録を行なう場合には電子カメラに装着され、また、記録された情報の再生を行なう場合には電子カメラから取り外されて、撮影された画像を再生する再生装置に装着される。これにより、電子カメラにて撮影された情報をメモリカードに記録し、このメモリカードを使って情報を再生することができる。
【０００３】
【発明が解決しようとする課題】
しかしながら、このような従来の電子カメラおよび再生装置では、画像の再生のためにメモリ装置を着脱しなければならないので、とくに使用頻度が高い場合には使い勝手が悪くて不便であった。この場合さらに、電子カメラと再生装置とを結合させるコネクタの着脱部分が着脱回数の増大とともに疲労し、たとえばその接触部にて接触不良が発生して信頼性が悪くなるという問題があった。そこで、メモリ装置を電子カメラ本体に装着したままで、電子カメラ本体に備えられたメモリ装置に記録された画像や音声等の情報を別個の再生装置に無線で送信して情報転送を行なうことにより、メモリカードの着脱回数を減らして使い勝手の向上を図り、また、信頼性の向上を図ることが考えられる。
【０００４】
しかしながら、電子カメラから再生装置に対して情報を無線で送信して、使い勝手と信頼性を向上するためには、さらに実用上次のような問題が発生した。まず、情報を送信する際に操作者は、電子カメラが送信モードに設定されているか否かを確認しなければならず、また、再生装置が受信可能状態にあるか否かをそれぞれの装置に対して確認しなければならず、また、電子カメラから送信されている情報が再生装置にて正確に受信されているか否かを確認しなければならず、さらに、再生装置にて情報の受信が正常に完了したか否かを確認しなければならない。
【０００５】
無線により情報を転送する際のこれらの問題により、たとえば、電子カメラおよび再生装置への操作や情報転送の確認動作が煩雑となり、電子カメラ側で情報を送信したつもりでも実際には再生装置側にて情報が正確に受信されていなかったという事態が発生するという問題があった。
【０００６】
本発明は上記従来の問題点に鑑み、電子カメラから再生装置に対して情報を無線で送信する場合に、情報の転送状態を簡便に確認することができ、使用頻度が高くても使い勝手の向上および情報転送の信頼性が向上した電子カメラおよび再生装置を提供することを目的とする。
【０００７】
【課題を解決するための手段】
本発明は上述の課題を解決するために、被写体を撮影して該被写体を表わす画像情報を、この画像情報を受けて対応する画像に再生する再生装置に無線にて送信する電子カメラにおいて、この電子カメラは、再生装置との通信に係る通信制御を行なうための第１の通信制御信号を生成するインデクス生成手段と、画像情報および第１の通信制御信号を無線信号に変換して、再生装置に送信する送信手段と、再生装置から送信される通信制御のための第２の通信制御信号を含む無線信号を受信する受信手段と、この電子カメラの送信動作の状態を表わす表示を行なう表示手段と、インデクス生成手段を制御し、受信手段にて受信される第２の通信制御信号に基づいて再生装置との通信制御を行なう制御手段とを備え、この制御手段は、第２の通信制御信号に基づいて、表示手段を制御する表示制御手段を有し、表示手段は、この表示制御手段の制御に基づいて、この電子カメラの送信動作の状態を表示することを特徴とする。
【０００８】
この場合、インデクス生成手段は、画像情報の送信開始を示す送信開始信号を含む第１の通信制御信号を生成する手段を備え、この電子カメラは、再生装置にて受信が可能であることを示す受信可能信号を含む第２の通信制御信号を受信手段にて受信された無線信号から検出するインデクス検出手段を備え、制御手段は、インデクス検出手段にて受信可能信号を含む第２の通信制御信号の検出の後、画像情報を送信する制御を行なう手段を備え、表示制御手段は、画像情報を送信中であることを表示手段に表示させる制御を行なう手段を備えるとよい。
【０００９】
この場合さらに、表示手段は、送信開始信号を含む第１の通信制御信号を送信した後の所定の時間内に再生装置からの受信可能信号を含む第２の通信制御信号を検知しない場合に異常状態を表示する異常表示手段を含むとよい。
【００１０】
また、インデクス生成手段は、画像情報の送信完了を示す送信完了信号を含む第１の通信制御信号を生成する手段を備え、インデクス検出手段は、再生装置にて受信が完了したことを示す受信完了信号を含む第２の通信制御信号を受信手段にて受信された無線信号から検出する手段を備え、制御手段は、受信完了信号を含む第２の通信制御信号がインデクス検出手段にて検出された後、送信動作を終了し、通信制御手段は、画像情報の送信が完了したことを表示手段に表示させる制御を行なう手段を備えるとよい。
【００１１】
この場合、表示手段は、送信完了信号を含む第１の通信制御信号を送信した後の所定の時間内に再生装置からの受信完了信号を含む第２の通信制御信号を検知しない場合に異常状態を表示する異常表示手段を含むとよい。
【００１２】
また、表示手段は、この電子カメラの動作モードを示すモード表示手段と、画像情報を送信中であることを示す送信中表示手段と、画像情報の送信が完了したことを示す送信完了表示手段と、この電子カメラの送信動作の状態の異常を表示する異常表示手段とを含むとよい。
【００１３】
またこの電子カメラは、周囲の音声を表わす音声情報を収録する手段を有し、送信手段は、音声情報を無線信号に変換して、再生装置に送信するとよい。
【００１４】
また本発明は、被写体を撮像する電子カメラから送信されたこの被写体を表わす画像情報を受信し、この画像情報が表わす画像を再生する再生装置において、この再生装置は、通信制御のための第２の通信制御信号を生成するインデクス生成手段と、電子カメラから送信された画像情報および通信制御のための第１の通信制御信号を含む無線信号を受信する受信手段と、通信制御のための第２の通信制御信号を含む無線信号を電子カメラに送信する送信手段と、受信手段にて受信された無線信号に含まれる画像情報を再生する再生処理手段と、受信手段にて受信される第１の通信制御信号に基づいて、電子カメラとの通信制御を行なう制御手段と、電子カメラから送信される無線信号の受信動作の状態を表わす表示を行なう表示手段とを備え、制御手段は、電子カメラから送信される無線信号に基づいて、表示手段を制御する表示制御手段を有し、表示手段は、この表示制御手段の制御に基づいて、この再生装置の受信動作の状態を表示することを特徴とする。
【００１５】
この場合、インデクス生成手段は、この再生装置にて受信が可能であることを示す受信可能信号を含む第２の通信制御信号を生成する手段を備え、この再生装置は、電子カメラから送信される画像情報の送信開始を示す送信開始信号を含む第１の通信制御信号を検出するインデクス検出手段を備え、制御手段は、インデクス検出手段にて送信開始信号を含む第１の通信制御信号の検出の後、電子カメラから送信される画像情報を含む無線信号の受信が可能である場合に、インデクス生成手段を制御して受信可能信号を含む第２の通信制御信号を生成させる制御を行なう手段と、第２の通信制御信号の送信後、画像情報を含む無線信号を受信させる制御を行なう手段とを備え、表示制御手段は、画像情報を受信中であることを表示手段に表示させる制御を行なう手段を備えるとよい。
【００１６】
この場合、さらにインデクス生成手段は、画像情報の受信完了を示す受信完了信号を含む第２の通信制御信号を生成する手段を備え、インデクス検出手段は、電子カメラから送信されて受信手段にて受信される電子カメラからの画像情報の送信が完了したことを示す送信完了信号を含む第１の通信制御信号を検出する手段を備え、制御手段は、受信完了信号を含む第２の通信制御信号の送信の後、この再生装置における受信動作を終了させ、表示制御手段は、画像情報の受信が完了したことを表示手段に表示させる制御を行なうとよい。
【００１７】
また、表示手段は、この再生装置の動作モードを示すモード表示手段と、画像情報を受信中であることを示す受信中表示手段と、画像情報の受信が完了したことを示す受信完了表示手段と、この再生装置の受信動作の状態の異常を表示する異常表示手段とを含むとよい。
【００１８】
また、受信手段は、電子カメラから送信される音声情報を含む無線信号を受信し、再生手段は、受信手段にて受信された無線信号に含まれる音声情報を再生する手段を備えるとよい。
【００１９】
【作用】
本発明の電子カメラによれば、インデクス生成手段にて生成された通信制御のための第１の通信制御信号と、被写体を表わす画像情報とが送信手段により無線信号に変換されて、再生装置に送信される。このとき、表示制御手段の制御に基づいて、電子カメラの送信動作の状態が表示手段に表示されて、電子カメラの動作状態が操作者に認識され得る。
【００２０】
本発明の再生装置によれば、また、電子カメラから送信される画像情報および通信制御のための第１の通信制御信号を含む無線信号が受信手段にて受信され、受信された画像情報は再生手段にて再生される。このとき、表示制御手段の制御に基づいて、再生装置の受信動作の状態が表示手段に表示されて、再生装置の動作状態が操作者に認識され得る。
【００２１】
【実施例】
次に添付図面を参照して本発明による電子カメラおよびその再生装置の実施例を説明する。図１および図２を参照すると、本発明に係る電子カメラおよびその再生装置の一実施例のブロック図が示されている。図１に示す電子カメラ10は、自然画などの被写体を撮像してその被写体像を表わす画像情報を生成し、また周囲のサウンドなどの音声情報を収集して録音し、これら画像情報および音声情報を無線で再生装置50に送信するように構成された電子カメラであり、図２に示す再生装置50は、電子カメラ10から送信された画像情報および音声情報を受信して再生する再生装置である。なお、以下の説明において本発明に直接関係のない部分は、図示およびその説明を省略する。
【００２２】
この実施例における電子カメラ10の構成を図１を参照して詳細に説明すると、電子カメラ10は、撮像レンズ11により結像された光学像を光電変換する固体撮像素子(CCD) 12と、周囲の音声を音響−電気変換するマイクロホン13と、CCD 12およびマイクロホン13のそれぞれの出力100 および出力102 に接続され、CCD 12およびマイクロホン13にて変換された画像および音声情報を処理する信号処理回路14と、信号処理回路14にて処理され出力104 に出力されたデータを蓄積する記憶回路15とを備えている。
【００２３】
信号処理回路14は、画像および音声情報を記憶回路15に蓄積するのに適した信号形式に変換処理する処理回路である。詳しくは、信号処理回路14は、入力100 および入力102 に現れるアナログ形式の画像および音声信号をディジタル値にて表わされた画像データおよび音声データにそれぞれ変換する。たとえば、信号処理回路14は、後述の操作部28に備えられるシャッタボタンの第１ストロークにて音声信号の処理を開始し、第２ストロークにて画像信号の処理を開始する。信号処理回路14は、変換された画像データを処理し、テレビジョン信号形式の映像データに変換する。また、信号処理回路14は、画像情報と音声情報とを効率的に記憶回路15に記録したり、再生装置50に送信したりするために、その情報量を圧縮するデータ圧縮機能を有している。たとえば、信号処理回路14は、変換された画像データを所定の映像符号化処理方法に従って圧縮処理し、変換された音声データをたとえば波形符号化などの音声符号化処理方法に従って圧縮処理する。信号処理回路14は、圧縮処理されたそれぞれのデータを出力104 に接続された記憶回路15に出力する。記憶回路15は、たとえばRAM やEEPROMなどの半導体メモリが電子カメラ10に内蔵して構成されている。なお、記憶回路15は、半導体メモリを有したメモリカード（図示せず）にて構成され、このメモリカードは不図示のコネクタを介して電子カメラ10に着脱自在となるように構成されてもよい。
【００２４】
また電子カメラ10は、記憶回路15に蓄積された画像情報および音声情報を変調して、変調された無線信号を図２に示した再生装置50に伝送する送信回路16と、伝送の際に必要となるインデクス信号を生成するインデクス発生回路18と、再生装置50から送信された無線信号を受信して復調する受信回路20と、受信した再生装置50からのインデクス信号を検出するインデクス検知回路22と、送受信兼用のアンテナ22とを備えている。
【００２５】
詳しくは、送信回路16は、電子カメラ10にて撮影された画像データおよび収録された音声データを無線信号として再生装置50に伝送する回路である。送信回路16は、記憶回路15から読み出された画像および音声データを、たとえば位相連続FSK などの変調方式に従って変調し、所定の通信チャネルの周波数に変調された高周波信号をその出力104 に接続されたアンテナ24に供給する。また、送信回路16は、インデクス発生回路18にて生成されたインデクス信号などの通信制御信号を変調する機能を有し、変調した通信制御信号を同様にしてアンテナ24に供給する。このインデクス発生回路18は、画像および音声情報を再生装置50に送信する場合に、通信シーケンスに必要な通信制御のためのインデクス信号を後述の制御回路26の制御に基づいて生成する回路である。インデクス発生回路18は、通信シーケンスを行なうためのインデクス信号として、記憶回路15に蓄積された画像および音声データの送信を開始することを示す送信開始信号と、これらデータの送信終了を示す送信完了信号とを生成する。送信開始信号および送信完了信号にはそれぞれ、この電子カメラ10本体を他の電子カメラと識別するための固有の番号情報からなるＩＤコードが含まれる。インデクス発生回路18は生成したインデクス信号を接続線108 を介して送信回路16に転送する。
【００２６】
受信回路20は、再生装置50から送信されアンテナ24を介して入力した無線信号を復調する回路である。再生装置50から送信される無線信号には、後述の受信可能信号および受信完了信号などの通信シーケンスに必要な各種インデクス信号が含まれ、受信回路20は、受信したこれらインデクス信号を復調して出力110 に出力する。受信回路20の出力110 は、インデクス検知回路22に接続され、インデクス検知回路22は、入力110 に現れるインデクス信号を検知する検知回路である。インデクス検知回路22は検知したインデクス信号を出力112 に出力して、接続線112 を介して接続された制御回路26に通知する。
【００２７】
さらに電子カメラ10は、電子カメラ10の各部の動作を制御する制御回路26と、操作者による操作状態を検出する操作部28と、電子カメラ10の動作状態に対応する可視表示を行なう表示部30とを備えている。詳しくは制御回路26は、操作部28にて検出される操作状態に応じた操作情報に基づいて電子カメラ10における撮影制御を行ない、さらに撮影により得られたデータを再生装置50に送信するための各種制御を行なう。また、制御回路26は、電子カメラ10の動作状態を表わす可視表示を表示部30に表示させるための制御を行なう。
【００２８】
具体的には制御回路26は、信号処理回路14および記憶回路15を制御する機能を有し、制御回路26は、操作部28から出力される操作情報に応じて、CCD 12にて光電変換された画像情報と、マイクロホン13にて得られた音声情報とを信号処理回路14にて処理するための制御を行なう制御信号を生成する。この操作部28には、撮影のタイミングを指示するためのシャッタボタン（図示せず）、撮影された画像や音声を表わすデータを選択して送信させるための送信開始ボタンなどの電子カメラ10の操作に必要な操作ボタンが備えられ、これら操作ボタンは、操作者の操作状態に応じた操作情報を生成する。また制御回路26は、１コマの撮影ごとデータを送信するように電子カメラ10を制御する自動送信機能を備え、電子カメラ10は、操作部28の送信開始ボタンの押下に対応する操作情報によらずに、データを送信することもできる。
【００２９】
また、制御回路26は、記憶回路15におけるデータの書き込みおよび読み出しを制御する機能を有し、信号処理回路14にて処理されたデータを記憶回路15に書き込み、さらに操作部28からの操作情報に応じて記憶回路15に蓄積されたデータを読み出すための制御信号を生成する。制御回路26は、生成した制御信号によりデータの送信時に記憶回路15に蓄積されたデータを読み出し、読み出したデータを送信回路16に転送する。
【００３０】
さらに制御回路26は、再生装置50とのハンドシェークを制御する機能を有している。詳しくは制御回路26は、インデクス発生回路18を制御して、電子カメラ10のデータ送信時の動作に応じた送信開始信号および送信完了信号などのインデクス信号を生成させるとともに動作状態を表わす可視表示を表示部30に表示させるための表示制御信号を生成する。また制御回路26は、インデクス検知回路22にて検知された再生装置50からのインデクス信号を判別する機能を有している。制御回路26は、判別したインデクス信号に基づいて、それぞれに応じた送信回路16への制御を行なうとともに、電子カメラ10および再生装置50の動作状態を表わす可視表示を表示部30に表示させるための表示制御信号を生成する。たとえば制御回路26は、インデクス検知回路22にて検出されたインデクス信号に基づいて、データ送信の異常を検出する機能を有し、異常検出の場合には、操作部28にて再送のための操作がなされると、送信異常の発生データを再び送信するように記憶回路15、送信回路16およびインデクス発生回路18を制御する再送制御機能を有している。
【００３１】
この実施例における表示部30は、制御回路26にて生成された可視表示のための表示制御信号に基づいて、それぞれ表示制御信号に対応した可視表示を行なう。詳しくは、表示部30は、図３に示すようにそれぞれ表示制御信号に応じて明滅する送信モードランプ32と、送信中表示ランプ34と、送信完了表示ランプ36と、異常表示ランプ38とを備え、表示制御信号に対応するランプを点灯させる。後述するように再生装置50から送信される無線信号は、アンテナ24に入力されて受信回路20により復調され、復調された信号はインデクス検知回路22に入力される。この無線信号には、再生装置50が受信可能状態であることを示す受信可能信号、電子カメラ10からの無線信号をすべて正常に受信したことを表わす受信完了信号および再生装置50での受信が異常となったことを表わす受信異常信号などの通信シーケンスに必要な各種インデクス信号が含まれている。
【００３２】
制御回路26は、送信開始信号の送出後の所定の時間内に再生装置50からの受信可能信号が判別できない場合、送信終了後所定の時間内に再生装置50からの受信完了信号が判別できない場合および送信開始から送信終了までの間に再生装置50からの受信異常信号が判別された場合のそれぞれに、異常表示ランプ38を点灯させる表示制御信号を生成して表示部30に通知する。また制御回路26は、電子カメラ10が送信モードであることを示すための表示制御信号と、画像および音声データの送信中であることを示すための表示制御信号と、データの送信が終了したことを示すための表示制御信号とをそれぞれ状況に応じて生成し、生成した表示制御信号を表示部30に出力する。表示部30に備えられた送信モードランプ32、送信中表示ランプ34および送信完了表示ランプ36は、制御回路26にて生成された表示制御信号に対応して点灯する。
【００３３】
次に、再生装置50の構成を図２を参照して詳細に説明すると、この実施例における再生装置50は、アンテナ52を介して入力される図１に示す電子カメラ10からの無線信号を受信して復調する受信回路54と、受信回路54にて復調された信号に含まれるインデクス信号を検出するインデクス検知回路56と、受信回路54にて復調された信号に含まれる画像および音声情報を蓄積する記憶回路58と、再生装置50および電子カメラ10間のハンドシェークを行なうためのインデクス信号を生成するインデクス発生回路60と、インデクス発生回路60にて生成されたインデクス信号を電子カメラ10へ送信する送信回路62とを備えている。
【００３４】
詳しくは、受信回路54は、アンテナ52を介して入力200 に入力した電子カメラ10からの無線信号を復調する回路である。電子カメラ10から送信される無線信号には、被写体の画像および音声を表わす画像情報および音声情報と、通信シーケンスに必要なハンドシェークのためのインデクス信号とが含まれている。受信回路54は、これら復調した画像情報および音声情報とインデクス信号とを出力202 に出力する。受信回路54の出力202 は、インデクス検知回路56と、記憶回路58および再生信号処理回路70とにそれぞれ接続されている。
【００３５】
インデクス検知回路56は、入力202 に現れるインデクス信号を検知する回路である。インデクス検知回路56は、たとえば電子カメラ10から送信された送信開始信号および送信完了信号を表わすインデクス信号を検知し、検知したインデクス信号を出力204 に出力する。また、インデクス検知回路56は、受信回路54にて受信された画像および音声情報の誤りの有無を検査する機能を有している。インデクス検知回路56は、入力202 に現れた画像および音声情報を検査してその情報に誤りが発生している場合に、受信異常が発生したことを示す受信異常信号を生成する。インデクス検知回路56は、生成した受信異常信号を出力204 に出力する。インデクス検知回路56の出力204 は後述の制御回路64に接続され、インデクス検知回路56は検知したインデクス信号および生成した受信異常信号を制御回路64に通知する。
【００３６】
受信回路54の出力202 に接続された記憶回路58は、受信回路54にて復調された電子カメラ10からの画像および音声信号を表わすデータを蓄積する情報蓄積回路である。記憶回路58は、入力202 に現れる画像および音声データを蓄積する。この実施例における記憶回路58は、半導体メモリなどの情報記憶素子にて構成されている。この記憶回路58はまた、光ディスクや磁気記録媒体などの情報記録媒体に情報を蓄積させる情報記憶装置にて構成されてもよく、その場合、情報記憶装置は、入力202 に現れたデータを所定のファイル形式に変換し、変換されたファイルのデータを情報記録媒体に書き込むとよい。
【００３７】
インデクス発生回路60は、電子カメラ10との交信を行なう場合に、通信シーケンスに必要なハンドシェークのためのインデックス信号を後述の制御回路64の制御に基づいて生成する回路である。たとえばインデクス発生回路60は、入力206 に入力される制御回路64からの制御信号に基づいて、通信制御のためのインデクス信号として、電子カメラ10からの無線信号を再生回路50にて受信可能状態であることを示す受信可能信号と、電子カメラ10から送信された無線信号を正常に受信終了したことを示す受信完了信号とを生成する。インデクス発生回路60は、生成したインデクス信号を出力208 に出力する。インデクス発生回路60の出力208 は送信回路62に接続されている。
【００３８】
送信回路62は、インデクス発生回路60にて生成されたインデクス信号を無線信号として電子カメラ10に伝送する回路である。送信回路62は、入力208 に入力されるインデクス信号を電子カメラ10の変調方式に従って変調し、所定の通信チャネルの周波数に変調された高周波信号をその出力200 に接続された送受信兼用のアンテナ52に供給する。
【００３９】
また、再生装置50は、再生装置50の各部の動作を制御する制御回路64と、受信回路54にて復調された画像および音声情報を表わすデータを再生する再生信号処理回路66と、操作者の操作による操作状態を検出する操作部68と、再生装置50の動作状態に対応する可視表示を行なう表示部70とを備えている。
【００４０】
詳しくは制御回路64は、再生装置50の動作状態に応じて、電子カメラ10から送信された情報を処理する機能を有している。たとえば制御回路64は、インデクス検知回路56にて検知された信号に基づいて、インデクス発生回路60を制御する。具体的には制御回路64は、電子カメラ10から送信された送信開始信号が入力204 に入力されると、再生装置50が受信可能状態にあり、かつ記憶回路58への情報の蓄積が可能である場合に、受信可能信号を生成するようにインデクス発生回路60を制御する。また、制御回路64は、電子カメラ10から送信された送信完了信号が入力204 に入力された際に、受信した画像および音声情報の受信が正常に終了している場合であって、受信異常信号がインデクス検知回路56にて生成されていない場合に、受信完了信号を生成するようにインデクス発生回路60を制御する。また、制御回路64は、記憶回路58における記憶制御および記憶管理を行なう機能を有し、たとえば制御回路64は、操作部68にて検出された操作状態に応じて、記憶回路58に蓄積されたデータの読み出しを行なう。さらに制御回路64は、記憶回路58から読み出されたデータを処理する再生信号処理回路66を制御する機能を有している。詳しくは制御回路64は、操作部68にて検出された操作状態に応じて、再生信号処理回路66を制御する制御信号を生成し、生成した制御信号を出力208 に出力する。
【００４１】
制御回路64の出力208 は、再生信号処理回路66に接続され、この実施例における再生信号処理回路66は、電子カメラ10から圧縮処理されて送信されたデータを伸張する機能を有している。たとえば、再生信号処理回路66は、圧縮された画像情報および音声情報をそれぞれ所定の伸張方法に従って伸張する。再生装置50には、外部のテレビジョン、プリンタおよびファイル装置などの装置に再生信号処理回路66にて処理された画像信号と音声信号とをそれぞれ出力するための端子80および82が設けられている。再生信号処理回路66は、伸張したデータをこれら外部装置に適合する信号形式に変換して、それぞれ変換した画像信号および音声信号を端子80および82に出力する。
【００４２】
また、制御回路46は、電子カメラ10および再生装置50の動作状態を表わす可視表示を表示部70に表示させるための制御を行なう表示制御機能を有し、制御回路46は可視表示のための表示制御信号を生成する。制御回路46は、再生装置50が受信モードであることを示す表示制御信号と、受信中であることを示す表示制御信号と、データの受信が正常に終了したことを示す表示制御信号と、データの受信に異常があることを示す表示制御信号とを生成し、生成した表示制御信号を出力212 に接続された表示部70に出力する。表示部70は、制御回路64にて生成された可視表示のための表示制御信号に基づいて、それぞれ表示制御信号に対応した可視表示を行なう。この表示部70は、図４にその一例が示されているように、それぞれ表示制御信号に基づいて点灯する受信モードランプ84と、受信中表示ランプ86と、受信完了表示ランプ88と、異常表示ランプ90とを備え、これらランプは、表示部70の入力212 に入力した表示制御信号に対応して点灯する。
【００４３】
なお、この実施例において動作状態を示す表示は、ランプの点灯により表示したがこれに限らず、たとえば文字表示やブザーなどの可聴表示によって、電子カメラ10および再生装置50の動作状態を操作者に知らせるように表示部70は構成されてもよい。
【００４４】
次に、図５に示す電子カメラ10の動作フロー図および図６に示す再生装置50の動作フロー図を参照して上記実施例の動作を説明する。まず、電子カメラ10にて得られた画像および音声情報を再生装置50に送信して、再生装置50におけるこの画像および音声情報の受信が正常に完了する場合について説明する。操作部28の操作により、周囲のサウンドがマイクロホン13にて音声信号に変換され、また、撮像レンズ11を介してCCD 12の撮像面に結像された被写体の光学像が対応する画像信号に変換される。マイクロホン13およびCCD 12にて変換された音声信号および画像信号は、信号処理回路14に入力され、アナログ・ディジタル変換処理および符号化圧縮処理などの信号処理が施される。処理された画像データおよび音声データなどのデータは、制御回路26の制御に従って記憶回路15の所定の記憶領域に書き込まれる。これにより１コマの画像情報および所定の時間の音声情報を表わすデータが記憶回路15に蓄積される。また、このとき表示部30の各ランプは、消灯されている。
【００４５】
ここで、操作部28の送信開始ボタン（図示せず）が操作されるか、または電子カメラ10の自動送信機能が有効である場合には、電子カメラ10は図５に示す送信モードに移行する。すなわち図５に示したステップ 500において、制御回路26にて生成された制御信号に応動して表示部30の送信モードランプ32が点灯し、電子カメラ10が送信モードとなったことが操作者に通知される。つぎにインデクス発生回路18にて生成された送信開始信号を表わすインデクス信号が送信回路16に入力されて、このインデクス信号は送信回路16にて所定の変調処理を受けて、変調された高周波信号の無線信号としてアンテナ24から出力される。次にステップ 504に進み、電子カメラ10は、再生回路50からの受信可能信号の待ち状態となる。
【００４６】
一方、図６に示す再生装置50では、たとえば、不図示の電源が投入されると各回路に電源電圧が供給されて再生装置50が起動する。再生装置50が起動して稼働状態となり、電子カメラ10からの送信開始信号を待つ待ち状態となる（ステップ 600）。つぎにステップ 602において、アンテナ52を介して受信回路54に入力された電子カメラ10からの無線信号が復調される。この復調された無線信号に含まれるインデクス信号がインデクス検知回路56にて検知され、検知されたインデクス信号に含まれる送信開始信号が制御回路64に通知されると、ステップ 604に進み、制御回路64にて生成された制御信号に応動して表示部70の受信モードランプ84が点灯し、再生装置50が受信モードとなったことが操作者に通知される。ついでステップ 606において、制御回路64の制御を受けたインデクス発生回路60にて生成された受信可能信号を表わすインデクス信号が送信回路62に入力されて、このインデクス信号は送信回路62にて所定の変調処理を受けて、変調された高周波の無線信号としてアンテナ52から出力される。これにより再生装置50は、電子カメラ10からの無線信号を受信可能な状態となる。
【００４７】
つぎにステップ 506において、再生装置50から送信された受信可能信号を含む無線信号が電子カメラ10にて受信されるとステップ 508に進み、また電子カメラ10から送信開始信号を含む無線信号を送信してから所定時間以内に、再生装置50からの受信可能信号を含む無線信号が電子カメラ10にて受信されない場合には、ステップ 520に進む。
【００４８】
再生装置50からの受信可能信号が電子カメラ10のインデクス検知回路22にて検知されたステップ 508において、操作部28の送信中表示ランプ34が制御回路26の表示制御信号に応動して点灯される。続くステップ 510において記憶回路15に蓄積された画像および音声データが読み出され、読み出されたデータは送信回路16にて変調された無線信号として再生回路50に送信される。このデータの送信が終了するとステップ 512において、インデクス発生回路18にて生成された送信完了信号を含むインデクス信号がさらに送信回路16およびアンテナ24を介してアンテナ24に出力される。制御回路26は、このインデクス信号を送信すると、送信中表示ランプ34を消灯させるように表示部30を制御し、再生装置50からの受信完了信号を所定の時間待つ待機状態となる（ステップ 514）。
【００４９】
再生装置50では、ステップ 608において、電子カメラ10から送信されたデータが受信回路54にて受信され、受信された画像および音声情報を表わすデータは、制御回路64の制御により記憶回路58の所定の記憶領域に書き込まれる。またこの受信中には、制御回路64にて生成された表示制御信号が表示部70に入力され、この信号に応動して受信中表示ランプ86が点灯される。このデータの受信が終了すると、ステップ 610において制御回路64は、電子カメラ10からの送信完了信号を含むインデクス信号を検出するために所定の時間待機状態となり、ステップ 612に進む。ステップ 612において、電子カメラ10からの送信完了信号を含むインデクス信号がデータの受信終了後の所定の時間以内にインデクス検知回路56にて検知されたか否かが判定される。また、記憶回路58に蓄積されたデータの異常の有無が制御回路64により検査される。この場合、所定の時間以内に送信完了信号を含むインデクス信号が検出され、かつ受信回路54にて受信されたデータが正常なデータである場合には、正常にデータの受信を完了したと制御回路64にて判定されステップ 614に進む。また、送信完了信号を含むインデクス信号がデータの受信終了後の所定の時間以内にインデクス検知回路56にて検知されないか、または、記憶回路58に蓄積されたデータに異常が検出された場合には、制御回路64にて異常が発生したと判定されてステップ 618に進む。
【００５０】
正常にデータの受信が完了したと判定されたステップ 614において、表示部70の受信完了表示ランプ88が制御回路64にて生成された表示制御信号に応動して点灯されステップ 616に進む。ステップ 616において、インデクス発生回路60にて受信完了信号を含むインデクス信号が生成され、生成されたインデクス信号は送信回路54にて無線信号としてアンテナ52に出力される。これにより再生装置50における受信モードの動作が終了する。ここでたとえば再生装置50の操作部68が操作者により操作されると、記憶回路58に蓄積されたデータが読み出されて再生信号処理回路66に入力される。再生信号処理回路66に入力された画像および音声情報を表わすデータは伸張されて、それぞれの出力端子80および82に接続される外部装置に適合した画像信号および音声信号に信号形式に変換される。変換された画像信号および音声信号は、それぞれ出力端子80および82に出力されて、最終的には、画像信号が表わす画像および音声信号が表わすサウンドが出力される。
【００５１】
受信完了信号待ち状態の電子カメラ10では、ステップ 516において再生装置50からの受信完了信号を含むインデクス信号がインデクス検知回路22にて検知されると、ステップ 518に進み、制御回路26にて生成された表示制御信号に応動して表示部30の送信完了表示ランプ36が点灯する。これにより、電子カメラ10の送信モードの動作が終了する。また、再生装置50からの受信完了信号を含むインデクス信号がデータの送信終了後の所定の時間以内にインデクス検知回路22にて検知されない場合には、データの送信が失敗したと制御回路26にて判定されてステップ 520に進む。
【００５２】
次に、異常が発生した場合について説明する。図５に示すステップ 506において、再生装置50からの受信可能信号が電子カメラ10で受信および検出することができない場合、また、ステップ 516において、再生装置50からの受信完了信号が電子カメラ10で受信および検出することができない場合には、ステップ 520に進む。ステップ 520において、受信完了信号を含むインデクス信号がインデクス検知回路22にて検出されない場合には、制御回路64にて生成された表示制御信号に応動して表示部70の異常表示ランプ90が点灯する。これにより、データの送信に失敗したことが操作者に通知され、また送信モードが終了する。
【００５３】
また、図６に示すステップ 612にて異常が発生したと判定されたステップ 618において、表示部70の異常表示ランプ90が制御回路64にて生成された表示制御信号に応動して点灯されステップ 620に進む。ステップ 620において、この受信動作にて受信されて記憶回路58に蓄積された異常データがある場合には、そのデータを消去するデータの消去処理が行なわれる。このとき異常表示ランプ90が点灯されているので、再生装置50側でもデータの受信に失敗したことが操作者に通知される。したがってこの実施例ではデータの受信に失敗した場合、再生装置50は、受信が正常に終了したことを示す受信完了信号を電子カメラ10に送信しないように構成され、電子カメラ10側では、データを送信した結果、受信完了信号が検出されないことにより、再生装置50におけるデータ受信に異常があったと判定する。
【００５４】
このように電子カメラ10が送信開始信号を含むインデクス信号を送信し、再生装置50がこれを受信して受信可能信号を含むインデクス信号を電子カメラ10に送信する。これらの通信シーケンスの処理は短時間で行われ、たとえば再生装置50の電源が投入されてなかったり、何らかの異常によりデータの受信ができなくなっていたり、電波障害などの障害により送信開始信号、送信完了信号、受信可能信号および受信完了信号をそれぞれ含むインデクス信号の送受信に異常が発生したりした場合には、電子カメラ10の異常表示ランプ38が点灯するように制御される。
【００５５】
したがって、上記実施例によれば、画像および音声情報を電子カメラ10から再生装置50に送信する場合、図７に示すように、斜線によりランプの点灯状態が示された、電子カメラ10側の送信モードランプ32と、送信中表示ランプ34と、送信完了表示ランプ36と、異常表示ランプ38と、再生装置50側の受信モードランプ84と、受信中表示ランプ86と、受信完了表示ランプ88と、異常表示ランプ90との点灯および消灯状態により、操作者がデータの通信状態を容易に認識することができるので、使い勝手と信頼性を向上することができる。これにより、データの再送信の必要性や、電子カメラ10に蓄積されたデータを消去してもよいか否かなどの判定が操作者により行なわれる。
【００５６】
本発明はまた、撮影ごとに画像を送信する上記通信シーケンスに限定されず、たとえば、電子カメラ10は、記憶回路15に蓄積された複数枚の画像を表わすデータを連続して送信する機能を有してもよい。また電子カメラ10は、複数枚の画像を送信途中にエラーが発生した場合には、たとえばエラーが発生したデータから電子カメラ10の記憶回路15から読み出して再送するようにしてもよい。また、この送信は電子カメラ10と再生装置50との間に通信チャネルが設定されたときに行うようにしてよく、さらに再生装置50から電子カメラ10に対して受信画像のデータを返送し、電子カメラ10にて返送データを照合するようにしてもよい。また、電子カメラ10は、記憶回路15に蓄積されたデータを正常に再生回路50に送信することができた場合、その蓄積されたデータを消去する機能を有してもよい。
【００５７】
【発明の効果】
以上説明したように、本発明によれば、画像情報を電子カメラから再生装置に無線で送信する場合、電子カメラの表示手段には、電子カメラの送信動作の状態が表示され、また、再生装置の表示手段には、再生装置の受信動作の状態が表示される。これにより、操作者は、再生装置における情報の受信状態を表示手段を確認するだけで認識することができる。したがって、電子カメラにて生成された情報を無線で送信する場合に、情報の転送状態を簡便に確認することができ、電子カメラの使用頻度が高くても、使い勝手が向上し、さらに情報転送の信頼性を向上させることができる。
【図面の簡単な説明】
【図１】本発明の電子カメラシステムに係る電子カメラの一実施例を示すブロック図である。
【図２】本発明の電子カメラシステムに係る再生装置の一実施例を示すブロック図である。
【図３】図１に示した電子カメラにおける表示部の一例を示す図である。
【図４】図２に示した再生装置における表示部の一例を示す図である。
【図５】図１に示した電子カメラの送信モードにおける動作を示すフローチャートである。
【図６】図２に示した再生装置の動作を示すフローチャートである。
【図７】電子カメラと再生装置との間の通信シーケンスおよび各表示部の表示状態を示す説明図である。
【符号の説明】
10  電子カメラ
11  撮像レンズ
12  固体撮像素子(CCD)
13  マイクロホン
14  信号処理回路
15,58   記憶回路
16,62   送信回路
18,60   インデクス発生回路
20,54   受信回路
22,56   インデクス検知回路
24,52   アンテナ
26,64   制御回路
28,68   操作部
30,70   表示部
50  再生装置
66  再生信号処理回路
80,82 端子
32  送信モードランプ
34  送信中表示ランプ
36  送信完了表示ランプ
38,90   異常表示ランプ
84  受信モードランプ
86  受信中表示ランプ
88  受信完了表示ランプ
【図１】
0003839495.tif 000002
【図２】
0003839495.tif 000003
【図３】
0003839495.tif 000004
【図４】
0003839495.tif 000005
【図５】
0003839495.tif 000006
【図６】
0003839495.tif 000007
【図７】
0003839495.tif 000008